(57)【要約】      （修正有）【課題】十分な構造強さと連接強さが満足する排出機構を有し、小型化に有利なカード用コネクタ装置を提供する。【解決手段】挿着空間を有するベース体と、カードに電気的に接続され、前記ベース体に装着される複数の端子と、前記ベース体に対してスライド可能なスライド部材とカードの挿入力を受けると共にカードを排出させる押圧部材とを含む排出機構を含む。押圧部材５３が金属板からなることで、十分な構造強さを満足し、押圧部材５３の延出部５３３がスライド部材５１の凹孔５１１に干渉して係合することで、押圧部材５３とスライド部材５１の連接強さが満足される。こうして、押圧部材５３と、押圧部材５３及びスライド部材５１の間の連接箇所と、の破壊の虞が減少され、また押圧部材５３の厚さの増加することが避けられ、カード用コネクタ装置の小型化に有利になる。【選択図】図５
0003121518.tif 000002
【実用新案登録請求の範囲】
【請求項１】
挿着空間を有するベース体と、
カードに電気的に接続し、前記ベース体に装着される複数の端子と、
前記ベース体に対してスライド可能なスライド部材と、
カードの挿入力を受けると共にカードを排出させる押圧部材と、を含む排出機構
を含むカード用コネクタ装置において、
前記押圧部材は金属板からなるとともに、前記スライド部材に連接していることを特徴とするカード用コネクタ装置。
【請求項２】
前記押圧部材は、
前記挿着空間に突出している押圧部と、
前記スライド部材に連接する連接部と、
を有することを特徴とする、請求項１記載のカード用コネクタ装置。
【請求項３】
前記スライド部材には凹孔が形成され、前記押圧部材の連接部には前記凹孔に係合する延出部が形成されることを特徴とする、請求項２に記載のカード用コネクタ装置。
【請求項４】
前記スライド部材には、前記凹孔に連通している凹溝が形成され、
前記押圧部材の連接部は、前記凹溝に係合していることを特徴とする、請求項３に記載のカード用コネクタ装置。
【請求項５】
前記スライド部材には、窪み部が形成され、
前記押圧部材に一体に成型される金属板は、前記窪み部に収容される主体部を有することを特徴とする、請求項４に記載のカード用コネクタ装置。
【請求項６】
前記排出機構は、
前記スライド部材を押圧する弾性部材と、
案内ビームと、を含み、
前記スライド部材にレールが形成され、前記案内ビームの一端が前記ベース体に保持され、前記案内ビームの他端が前記レールにスライド可能であることを特徴とする、請求項１に記載のカード用コネクタ装置。
【考案の詳細な説明】
【技術分野】
【０００１】
本考案はカード用コネクタ装置に関し、特にカードを回路基板に電気的に接続させるカード用コネクタ装置に関するものである。
【背景技術】
【０００２】
従来技術は、従来技術文献に開示されるようなカード用コネクタ装置であり、ベース体と、ベース体に装着される導電端子と、カードを排出するようにベース体に取り付けられる排出機構と，を含み、前記ベース体には、カードを収容する挿着空間が画成される。前記排出機構は、バネ部材と、バネ部材に接続するように前記ベース体に対してスライド可能なスライド部材と、を含む。前記スライド部材と推進部は一体に成形される（例えば、特許文献１参照）。
【特許文献１】台湾実用新案公告第５７５２３７号明細書
【０００３】
前記カードがベース体の挿着空間に挿入される際において、カードが前記推進部に当接して該推進部を押圧すると、カードの挿入力により前記スライド部材をベース体に対しカードの挿入方向に向けてスライドさせるとともに、前記バネ部材が圧縮されることにより弾性変形を生じて復帰力を有するようになっている。カードを排出する際に、指でカードをもう一度押圧すると、前記バネ部材の復帰力によりスライド部材をベース体に対しカードの排出方向に向けてスライドさせ、さらに前記スライド部材と一体に成形される推進部により、カードがベース体の挿着空間より排出される。
【考案の開示】
【考案が解決しようとする課題】
【０００４】
前記特許文献１に開示されたカード用コネクタ装置のスライド部材と一体に成形される推進部は、カードの挿入力を受けてスライド部材をベース体に対してスライドさせるとともにバネ部材を圧縮させる。そこで、カードの挿入力が大きくになると、前記推進部が破壊されるか又はスライド部材から裂ける虞がある。今業界において前記の問題が解決するように、推進部の厚さを増加させするとともに推進部とスライド部材との連接箇所の厚さを増加させることにより、推進部の構造強さと連接強さとが増大する。しかしながら、こうした、推進部の寸法も増加し、カード用コネクタ装置の小型化に向ける発展に不利になっている。そこで、従来の技術の不足を改善したカード用コネクタ装置を開発する必要がある。
【０００５】
本考案は、十分な構造強さと連接強さが満足する排出機構を有し、小型化に有利なカード用コネクタ装置を提供することを目的とする。
【課題を解決するための手段】
【０００６】
本考案のカード用コネクタ装置は、挿着空間を有するベース体と、カードに電気的に接続し、前記ベース体に装着される複数の端子と、前記ベース体に対するスライド可能なスライド部材と、カードの挿入力を受けると共にカードを排出させる押圧部材と、を含む排出機構を含む。前記押圧部材は金属板からなり、前記スライド部材に連接している。
【考案の効果】
【０００７】
従来技術に比べ、本考案は以下の利点を有する。カード用コネクタ装置の押圧部材が金属板からなることで、十分な構造強さを満足し、押圧部材がスライド部材に干渉して係合することで、押圧部材とスライド部材との連接強さが満足される。こうして、押圧部材と、押圧部材及びスライド部材の間の連接箇所との破壊の恐れが減少し、また押圧部材の厚さが増加することが避けられ、カード用コネクタ装置の小型化に有利になる。
【考案を実施するための最良の形態】
【０００８】
以下、図1〜図７を参照すると、本考案のカード用コネクタ装置の好ましい実施形態について、添付図面を参照して説明する。該カード用コネクタ装置は、カード６に接続するのに用いられ、絶縁材から成形されるベース体４と、前記ベース体４内に装着される複数の第１端子２とスイッチ３と、排出機構５と、ベース体４を覆うフレーム１と、を含み、前記スイッチ３は、第２端子３１と、第３端子３２と、からなる。
【０００９】
図４を参照すると、ベース体４は、基部４１と、該基部４１の左右側から延出するように一体成形される左右延出アーム４２、４３と、を有し、前記基部４１と延出アーム４２、４３と、は、カード６を収容するような挿着空間４４からなり、基部４１には複数の第１端子２をそれぞれ装着するための端子溝４１１が形成される。前記左右延出アーム４２、４３の外側には、前記フレーム１を取り付けるように取付凸部４５がそれぞれ形成され、前記左延出アーム４２には、前記排出機構５をベース体４に対してスライド可能にするガイド溝４２１が形成される。前記ガイド溝４２１は、挿着空間４４に連通し、第１端部４２１４と、第２端部４２１５と、第１端部４２１４と、第２端部４２１５と、を連接する第１側壁４２１１及び第２側壁４２１２を含む。前記第１側壁４２１１には、前記第２端子３１及び第３端子３２を収容するように受容溝４２１３が形成される。
【００１０】
図４を参照すると、前記第１端子２は、金属板からなり、カード６の導電パッド（図示せず）に電気的に接続するようなコンタクト部２１と、テール部２２と、を含み、前記コンタクト部２１がテール部２２より突出している。前記テール部２２が下方に屈曲されていてベース体４が回路基板（図示せず）に配置されるときに、該テール部２２が回路基板の対応する導電パッドに接触し半田により接続可能となっている。
【００１１】
前記スイッチ３の第２端子３１及び第３端子３２は、互いに接触又は分離することができ、これによりカード用コネクタ装置の電気的な導通又は切断を制御できる。本実施状態において、該スイッチ３の第２端子３１及び第３端子３２の構造は同じであり、先端部３３１及びと接点３３２を有する接触部３３と、該接触部３３から下向きに延在するような弾性部３４と、回路基板に接触し半田により接続可能となる半田部３５と、弾性部３４及び半田部３５を連接するような折曲部３６と、を含む。
【００１２】
図３と図４を参照すると、前記排出機構５は、前記ベース体４のガイド溝４２１にカード６の挿入/排出方向に沿ってスライド可能なスライド部材５１と、該スライド部材５１に当接する弾性部材５４と、前記スライド部材５１に取り付られる金属板５６と、該金属板５６と一体に成形される金属からなる押圧部材５３と、を含む。該弾性部材５４の一端は、スライド部材５１の後端に形成した収容溝５７内に収容されるとともに、その他端は前記ベース体４の第２端部４２１５に一体に成形される固定ビーム５５により位置決めされ、これらにより該弾性部材５４をカード６の挿入/排出方向に沿った圧縮/回復が実現される。
【００１３】
前記スライド部材５１は、上表面から心臓形状を呈するレール５２が窪むように形成され、前記レール５２には、係止箇所５２１が配置される。前記排出機構５は、両端部が折曲し延在するように形成した案内ビーム５８も有し、該案内ビーム５８がレール５２にスライド可能に係合することにより前記スライド部材５１のベース体４に対してスライドが制御できる。案内ビーム５８の一方の屈曲端５８１がレール５２に対してスライド可能になるとともに、その他方の屈曲端５８２はベース体４の第１端部４２１４に形成した固持孔５９に保持される。
【００１４】
図５を参照すると、前記ベース体５１は、底壁５１２と該底壁５１２から凹むように形成する窪み部５１３と、底壁５１２からスライド部材５１を貫通するように配置される複数の凹孔５１１と、該凹孔５１１に連通する凹溝５１４と、を含む。前記金属板５６は、前記スライド部材５１の窪み部５１３内に収容される主体部５６１を有し、該主体部５６１の厚さは、窪み部５１３の深さより略等しいか又は大きい。前記金属板５６に一体に成形される押圧部材５３は金属板からなり、カード６が押圧するための押圧部５３１と、該押圧部５３１の一端から折曲延在するように前記金属板５６に連接する連接部５３２と、を有し、前記連接部５３２及び金属板５６の主体部５６１の側縁から、前記凹孔５１１にそれぞれ保持され収容される延出部５３３がそれぞれ形成される。
【００１５】
図４を参照すると、前記フレーム１は、頂壁１１と、頂壁１１の両側縁から下向きに折曲延在するように形成した両側壁１２と、前記排出機構５の案内ビーム５８に押圧するための弾性片１３と、を含む。両側壁１２には、ベース体４の左右延出アーム４２、４３に形成した取付凸部４５に係合するように取付溝１４がそれぞれ形成され、また、両側壁１２には、フレーム１を回路基板に半田付けするように複数の半田脚１５が形成される。
【００１６】
図１ないし図３を参照すると、取付時に、まず、第１端子２がベース体４の端子溝４１１内に装着され、第１端子２のコンタクト部２１が挿着空間４４に突設されると同時に、そのテール部２２がベース体４の外側に突出する。次に、前記スイッチ３の第２端子３１及び第３端子３２がベース体４の受容溝４２１３に装着され、その接触部３３の接点３３２が受容溝４２１３の上方に露出し、その先端部３３１が受容溝４２１３に収容され、その半田部３５がベース体４から延出する。
【００１７】
図３を参照すると、前記排出機構５をベース体４に取り付ける際に、まず排出機構５の延出部５５が凹孔５１１に干渉して係合することにより、前記金属板５６がスライド部材５１の窪み部５１３に貼り付けられるとともに前記押圧部材５３の連接部５３２がスライド部材５１の凹溝５１４に収容される。同時に、前記押圧部材５３の押圧部５３１はスライド部材５１の一端に沿って前記挿着空間４４までに突出し、前記弾性部材５４の一端はスライド部材５１の収容溝５７に装着される。次に、そのスライド部材５１をベース体４のガイド溝４２１に組み付け、前記弾性部材５４の他端は固定ビーム５５に位置決めされるとともに、案内ビーム５８の一方の屈曲端５８１がスライド部材５１のレール５２にスライド可能に収容され、他方の屈曲端５８２がベース体４の固持孔５９に保持される。排出機構５をベース体４に取り付けた時に、前記第２端子３１及び第３端子３２は、排出機構５の重力により下方に弾性撓みを生じるようになると、その接点３３１をスライド部材５１の底壁５１２に押圧させる。
【００１８】
最後に、前記フレーム１をベース体４に取り付ける際に、前記フレーム１の側壁１２に形成した取付溝１４がベース体４の左右延出アーム４２、４３に形成した取付凸部４５に対応して係合することにより、フレーム１がベース体４に取り付けられる。この時、フレーム1の弾性片１３が前記排出機構５の案内ビーム５８に押圧することにより、排出機構５の案内ビーム５８がレール５２から外れることを防止できる。組み付けたカード用コネクタ装置が回路基板に実装される時に、前記フレーム１の半田脚１５、第１端子２、第２端子３１及び第３端子３２が回路基板に対応して半田付けされる。
【００１９】
図１、図６及び図７を参照すると、カード用コネクタ装置を使用する時、カード６をカード用コネクタ装置に挿入すると、前記排出機構５が初期状態に戻るとともに案内ビーム５８の屈曲部５８１も初期状態に戻る。カード６を挿入し続けて、カード６が押圧部材５３の押圧部５３１を押圧することにより、前記スライド部材５１をカード６の挿入方向へスライドさせるとともに、弾性部材５４が圧縮されることにより弾性変形を生じて復帰力を有する。また、前記案内ビーム５８の一方の屈曲部５８１は、スライド部材５１のスライドに従って前記レール５２上にスライドする。
【００２０】
カード６を完全に挿着空間４４に挿入した時（図７に示す）、スライド部材５１のスライドが停止し、案内ビーム５８の一方の屈曲部５８１がレール５２の係止箇所５２１に係止され、前記スライド部材５１及び金属板５６は末期状態に位置する。カード６の挿入過程で、延出部５３３がスライド部材５１の凹孔５１１に干渉して係合することにより、押圧部材５３がカード６の挿入力でスライド部材５１から外れることを防止できる。前記スライド部材５１及び金属板５６は末期状態に位置する際に、カード６の導電パッドが第１端子２のコンタクト部２１に電気的に接続するとともに、第２端子３１及び第３端子３２の接触部３３の接点３３２が前記金属板５６の主体部５６１にそれぞれ接続することにより電気的に接続され、さらにカード６と回路基板との電気的な接続が実現される。
【００２１】
カード６を前記挿着空間４４から排出する際に、指等でカード６をカード６の挿入方向に沿ってもう一度押圧し、これにより、案内ビーム５８の一方の屈曲部５８１と前記係止箇所５２１のロックが解除されるとともに弾性部材５４の圧縮も解除される。前記弾性部材５４の復帰力により、スライド部材５１をカード６の挿入方向と相反するカード６の排出方向へスライドさせるとともに、スライド部材５１のスライドに従って押圧部材５３がカード６の排出方向へスライドされ、押圧部材５３のカード６の排出方向に向けるスライドによりカード６を排出方向に向けてスライドさせる。
【００２２】
前記スライド部材５１が初期状態に復帰した際に、案内ビーム５８の一方の屈曲部５８１がレール５２の初期状態まで移動され、また、カード６の導電パッドと第１端子２のコンタクト部２１の電気的な接続が解除されるとともに、第２端子３１及び第３端子３２の接触部３３の接点３３２がスライド部材５１の底壁５１２にそれぞれ接続されることにより電気的な接続が解除され、さらにカード６と回路基板の電気的な接続が切断される。
【００２３】
本考案のカード用コネクタ装置は、押圧部材５３が金属板からなることで、十分な構造強さを満足し、押圧部材５３の延出部５３３がスライド部材５１の凹孔５１１に干渉して係合することで、押圧部材５３とスライド部材５１の連接強さが満足される。こうして、押圧部材５３と、押圧部材５３及びスライド部材５１の間の連接箇所と、の破壊の虞が減少され、また押圧部材５３の厚さの増加することが避けられ、カード用コネクタ装置の小型化に有利なる。
【００２４】
以上本考案について好ましい実施の形態を参照して詳細に説明したが、実施形態はあくまでも例示的なものであり、これらに限定されるものではない。また、本考案に基づきなし得る細部の修正或は変更など、いずれも本考案の請求範囲に属するものである。
【図面の簡単な説明】
【００２５】
【図１】本考案に係るカード用コネクタ装置とカードの組立斜視図である。
【図２】本考案に係るカード用コネクタ装置のフレームが取り外した組立斜視図である。
【図３】本考案に係るカード用コネクタ装置の部分の分解斜視図である。
【図４】本考案に係るカード用コネクタ装置の分解斜視図である。
【図５】本考案に係るカード用コネクタ装置の排出機構の分解斜視図である。
【図６】図１に示すカード用コネクタ装置（カードが完全に挿入されない）のＶＩ−ＶＩ線で切断した断面図である。
【図７】図１に示すカード用コネクタ装置（カードが完全に挿入された）のＶＩ−ＶＩ線で切断した断面図である。
【符号の説明】
【００２６】
１  フレーム
１１  頂壁
１２  側壁
１３  弾性片
１４  取付溝
１５  半田脚
２  第１端子
２１  コンタクト部
２２  テール部
３  スイッチ
３１  第２端子
３２  第３端子
３３  接触部
３４  弾性部
３５  半田部
３６  折曲部
３３１  先端部
３３２  接点
４  ベース体
４１  基部
４２、４３  延出アーム
４４  挿着空間
４５  取付凸部
４１１  端子溝
４２１  ガイド溝
４２１１  第１側壁
４２１２  第２側壁
４２１３  受容溝
４２１４  第１端部
４２１５  第２端部
５  排出機構
５１  スライド部材
５２  レール
５３  押圧部材
５４  弾性部材
５５  固定ビーム
５６  金属板
５７  収容溝
５８  案内ビーム
５９  固持孔
５１１  凹孔
５１２  底壁
５１３  窪み部
５１４  凹溝
５２１  係止箇所
５３１  押圧部材
５３２  連接部
５３３  延出部
５６１  主体部
５８１、５８２  屈曲部
６  カード
【図１】
0003121518.tif 000003
【図２】
0003121518.tif 000004
【図３】
0003121518.tif 000005
【図４】
0003121518.tif 000006
【図５】
0003121518.tif 000007
【図６】
0003121518.tif 000008
【図７】
0003121518.tif 000009